(57)【特許請求の範囲】
【請求項１】
表示エリアを有する表示モジュールと、前記表示エリアに形成され、表示モジュール上に積層されたタッチパネルとは異なる、複数のタッチスイッチ領域であって、常に独立して駆動状態に保たれるタッチスイッチ領域と、を備え、前記タッチスイッチ領域は、表示モジュールのオン／オフ及びタッチパネルのオン／オフを制御するため所定の入力操作が行われるものであり、前記所定の入力操作を、複数のタッチスイッチ領域に同時にタッチする操作を１回、または、複数のタッチスイッチ領域に所定の順にタッチする操作を複数回実施することで行うことを特徴とする表示装置。
【請求項２】
表示装置が、表示エリア上にタッチパネルを重ねて設けることでタッチパネルによる入力機能を備える表示装置である請求項１記載の表示装置。
【請求項３】
タッチスイッチ領域が、表示装置の表面に別のタッチパネルを重ねて形成されている請求項１または２記載の表示装置。
【請求項４】
タッチスイッチ領域が、タッチパネルの一部を独立させて形成されている請求項２記載の表示装置。
【請求項５】
タッチスイッチ領域を、表示装置の表示エリアの４隅に設けた請求項１記載の表示装置。
【請求項６】
前記タッチスイッチ領域の所定の入力操作により、さらに、メインパワースイッチのオン／オフ、ファンクションユニットのオン／オフ、システムユニットのオン／オフ、が行われる請求項１または２記載の表示装置。
【請求項７】
ファンクションユニットが、指紋認証ユニットまたは署名認証ユニットである請求項６記載の表示装置。
【請求項８】
システムユニットが、システムパワースイッチまたはシステムサスペンド／レジュームスイッチである請求項６記載の表示装置。
【発明の詳細な説明】
【０００１】
【発明の属する技術分野】
本発明は、ＬＣＤやＣＲＴ等の表示モジュールを備える表示装置に関し、特に、表示装置の表示エリアへの操作で種々の機能の制御が可能な表示装置に関するものである。
【０００２】
【従来の技術】
従来から、ＬＣＤやＣＲＴ等の表示モジュールを備える表示装置は種々のものが知られている。また、表示モジュールの表示エリア上にタッチパネルを重ねて設けることで、タッチパネルによる入力機能を備える表示装置も種々のものが知られている。このような表示装置において、例えば、メインパワースイッチのオン／オフ等の機能を制御する場合、表示モジュールの表示エリアに表示させたスイッチをポインティングデバイスでクリックして指示したり、タッチパネルを備える表示装置では、タッチパネル上に表示させたスイッチを指等でタッチして指示することで、それらの機能の制御を実施していた。
【０００３】
上述した機能の制御は、表示モジュールやタッチパネルの電源をオンにした状態でないと実行することができなかった。そのため、常に表示モジュールやタッチパネルの電源を入れたままの状態に保つ必要があり、電力の消費が多くなり、特にノートブック等のモバイルとして使用する場合その分だけ使用可能時間が短くなってしまう。モバイルとしての使用にとって使用可能時間は極めて重要であり、このように使用可能時間が短くなることは大きな問題であった。また、近年は環境面からスタンバイモードの電力消費は極力０に近づけるよう求められている。
【０００４】
【発明が解決しようとする課題】
上述した使用可能時間の問題、言い換えると、パワーセービングの問題を解消するために、種々の技術が知られている。その一例として、特開昭６３−２７６０８５号公報では、タッチパネルに近接センサを設け、人が操作のために近づく等近接センサが感知信号を発した時にタッチパネルの電源をオンとし、感知信号が発せられない時はタッチパネルの電源をオフとする技術が開示されている。また、特公平３−１９５６６号公報では、タッチパネルに押し釦スイッチを設け指等でタッチパネルをタッチすることで押し釦スイッチをオンとし、その時のみタッチパネルをオンとすることで、消費電力を低減させる技術が開示されている。
【０００５】
しかしながら、上述した技術においても、十分にパワーセービングを達成することができず、近年要望の高い十分なパワーセービングを達成し、表示装置の使用時間を長くできる表示装置を得ることができない問題があった。また、ある程度のパワーセービングを達成できても、その機能の実行にあたり、セキュリティの問題は全く考慮されていないため、悪意をもった第３者でも簡単に表示装置のオン／オフの制御が可能となってしまう問題があった。
【０００６】
本発明の目的は上述した課題を解消して、簡単な構成で各種装置のパワーセービング等の機能を達成でき、しかも、セキュリティの確保も可能な表示装置を提供しようとするものである。
【０００７】
【課題を解決するための手段】
本発明の表示装置は、ＬＣＤやＣＲＴ等の表示モジュールを備える表示装置を対象とし、好ましい例として、表示エリア上にタッチパネルを重ねて設けることでタッチパネルによる入力機能を備える表示装置を対象とする。このような表示装置において、表示装置の表示エリアに、駆動電源の独立した少なくとも１カ所のタッチスイッチ領域を形成する。このタッチスイッチ領域は、表示装置の表示エリアの所定の箇所に小さいタッチパネルを設けることで、また、タッチパネルを備える表示装置では、タッチパネルの表面に別のタッチパネルを重ねるか、あるいは、タッチパネルの一部を独立させて形成することですることで、好適に設けることができる。その後、タッチスイッチ領域に対し、所定の入力操作を行うことで所定の機能を制御する。
【０００８】
所定の入力操作は、セキュリティをそれほど考えなければ、１つのタッチスイッチ領域にタッチする操作とすることもできる。セキュリティを考える場合は、１つのタッチスイッチ領域にタッチする操作または複数のタッチスイッチ領域に同時にタッチする操作を、１回または所定の順に複数回実施することで行うことができる。また、タッチスイッチ領域に画像読み取り機能をもたせ、所定の入力操作を行う際、タッチスイッチ領域にタッチすると同時に指紋の認証を行うか、あるいは、タッチスイッチ領域にタッチすると同時にタッチパネルにウィンドウを表示し、表示したウィンドウに署名を行うことで、署名による認証を行うこともできる。さらに、制御すべき所定の機能は、メインパワースイッチのオン／オフ、表示装置の表示モジュールのオン／オフ、ファンクションユニットのオン／オフ、システムユニットのオン／オフ、表示装置がタッチパネルを備える場合はタッチパネルのオン／オフ等である。ここで、ファンクションユニットは、指紋認証ユニットまたは署名認証ユニットであり、システムユニットは、システムパワースイッチまたはシステムサスペンド／レジュームスイッチである。
【０００９】
本発明では、通常、駆動電源の独立した少なくとも１カ所のタッチスイッチ領域のみ常に駆動状態に保ち、その他のすべての機能の電源をオフとした状態に保つことができる。そして、所定の機能を制御したい場合にのみ、タッチスイッチ領域にタッチすることで、所定の機能の電源をオンとして制御する。そのため、十分なパワーセービングを達成することができる。また、この所定の機能を制御するための入力の際に、１つのタッチスイッチ領域にタッチする操作または複数のタッチスイッチ領域に同時にタッチする操作を、１回または所定の順に複数回実施することで行うか、タッチスイッチ領域に画像読み取り機能をもたせ、所定の入力操作を行う際、タッチスイッチ領域にタッチすると同時に指紋の認証を行うか、あるいは、タッチスイッチ領域にタッチすると同時にタッチパネルにウィンドウを表示し、表示したウィンドウに署名を行うことで、署名による認証を行うことにより、その入力順を知らない第３者や、指紋や署名の異なる第３者が、その機能を利用出来なくすることができ、セキュリティを守ることができる。
【００１０】
【発明の実施の形態】
図１は本発明の表示装置の一例におけるシステムの概略を示す図である。図１に示す例において、１は表示装置、１１はパワーユニット、１２はメインパワースイッチＳＷ−０である。表示装置１は、表示モジュール２の表示エリア上にタッチパネル３を重ねて設けることで、タッチパネルによる入力機能を備えている。また、表示装置１は、ファンクションユニット４およびシステムユニット５を備えている。本例では、表示装置１の表示エリアすなわちタッチパネルユニット３の表示エリアに、駆動電源の独立した少なくとも１カ所のタッチスイッチ領域６（ここでは左上隅に１カ所設けるものとする）を形成するにあたり、図示しない透明なタッチパネル３とは別のタッチパネルを、タッチパネル３の所定の箇所に重ねて設けている。ファンクションユニット４の機能としては、後述する指紋認証機能や署名認証機能がある。システムユニット５の機能としては、システムパワースイッチの機能やシステムサスペンド／レジュームスイッチの機能がある。
【００１１】
図１に示す例において、本発明の表示装置の特徴は、タッチスイッチ領域６に対する後述するような所定の入力操作で、メインパワースイッチ１２のスイッチＳＷ−０のオン／オフの制御、または、パワーユニット１１からタッチパネルユニット３への電源スイッチＳＷ−１のオン／オフの制御、または、パワーユニット１１から表示モジュール２への電源スイッチＳＷ−２のオン／オフの制御、または、パワーユニット１１からファンクションユニット４への電源スイッチＳＷ−３のオン／オフの制御、または、パワーユニット１１からシステムユニット５への電源スイッチＳＷ−４のオン／オフの制御を行う点である。ここで、タッチスイッチ領域６には常時駆動電源を供給している。また、入力操作は使用者が個別に設定する。
【００１２】
図２（ａ）、（ｂ）はそれぞれ本発明の表示装置におけるタッチスイッチ領域６の一例の構成を示す図である。図２（ａ）に示す例では、タッチパネルユニット３の表示エリアの４隅にタッチスイッチ領域６−１〜６−４を設けている。この例での入力操作は、目に見えないタッチスイッチ領域６−１〜６−４の位置を記憶しておき、所定の順に例えば指先でタッチスイッチ領域６−１〜６−４にタッチすることで行う。図２（ｂ）に示す例では、タッチパネルユニット３の表示エリアの右下隅にタッチスイッチ領域６を設けている。この例での入力操作は、目に見えないタッチスイッチ領域６の位置を記憶しておき、例えば指先でタッチスイッチ領域６にタッチし、それによりタッチパネルユニット３の中心近傍に表示ユニット２により目に見えるキー入力部２１（ここでは１〜４の４数字）を表示させ、このキー入力部２１の数字を例えば指先でタッチすることで行う。なお、図１の説明では、このタッチスイッチ領域６を、タッチパネル３とは別のタッチパネルをタッチパネルユニット３の所定の箇所に重ねて設ける例を説明したが、タッチパネル３を作製する際その一部を独立させて形成することもできる。
【００１３】
次に、本発明の表示装置で実現できる機能について、タッチパネルユニット３や表示モジュール２のパワーセービング機能、セキュリティ機能、システムスイッチ機能、Ｓ／Ｗキー機能について順に説明する。
【００１４】
▲１▼パネルパワーセービング機能について：
パネルユニット３や表示モジュール２を使わない時における省電力のために、例えば図２（ａ）に示す例におけるタッチスイッチ領域６−１と６−２が同時にタッチされ押された場合にのみ、図１に示すタッチパネルユニット３へのパワースイッチＳＷ−１および／または表示モジュール２へのパワースイッチＳＷ−２のオン／オフを繰り返す。これにより、タッチパネルユニット３および／または表示モジュール２のパワーセービングを行うことができる。
【００１５】
▲２▼セキュリティ機能について：
他人の不法使用を避けるために、以下の方法で本人の確認をするスイッチとして使用し、認証されたときのみパワーを入れる。
１．コンビネーションキースイッチ；
例；タッチスイッチ領域における押し位置でのコンビネーション（連続的なタッチ、同時タッチ）が合致した時オン。
例；タッチスイッチ領域における押し位置でのタイムインターバル（モールス信号のように）が合致した時オン。
２．指紋認証スイッチ；
例；タッチスイッチ領域における押し位置での指紋が合致した時オン。この場合、タッチスイッチ領域に画像読み取り機能をもたせ、押し位置に指紋リーダを設ける必要がある。
３．署名認証スイッチ；
例；タッチスイッチ領域における押し位置での、または、押し位置と署名が合致した時オン。この場合、タッチスイッチ領域またはタッチパネルに画像読み取り機能をもたせ、押し位置または表示画面上に一時的に署名入力エリアを表示する必要がある。
【００１６】
▲３▼システムスイッチ機能について：
従来、システムによって提供されていたスイッチの代用として、以下の用途で使用する。
１．システムパワースイッチ；
例；タッチスイッチ領域の２カ所が同時にタッチされ押された場合のみ、オン／オフを繰り返す。
例；セキュリティ機能とコンバインする。
２．システムサスペンド／レジュームスイッチ；
例；タッチスイッチ領域の２カ所が同時にタッチされ押された場合のみ、オン／オフを繰り返す。
例；セキュリティ機能とコンバインする。
【００１７】
▲４▼Ｓ／Ｗキー機能について：
従来、Ｓ／Ｗで提供されていたコマンドメニューの代用として使用する。
１．シャットダウンスイッチ；
例；２カ所が同時に押された場合のみシステムのシャットダウンを行う。
【００１８】
次に、上述した各機能のうちパネルパワーセービング機能とセキュリティ機能について、図３および図４を参照して実際の操作の状態の一例を説明する。図３（ａ）〜（ｅ）はそれぞれパネルパワーセービング機能の各状態を示す図であり、タッチスイッチ領域６−１、６−２はタッチパネル３の表示エリアの左下隅と右下隅の２カ所に設けられているものとする。図３（ａ）は通常使っている状態を示し、この状態では表示モジュール２とタッチパネル３はいずれもオンの状態である。図３（ｂ）はタッチパネル３の機能を使いたくない時の操作を示し、その場合は２カ所のタッチスイッチ領域６−１、６−２を同時にタッチすることでタッチパネル３をオフ状態とする。図３（ｃ）はタッチパネル３がオフの状態を示し、この状態では表示モジュール２はオン状態でタッチパネル３のみオフ状態である。２カ所のタッチスイッチ領域６−１、６−２は常にオン状態である。図３（ｄ）はタッチパネル３の機能を使いたい時の操作を示し、その場合は２カ所のタッチスイッチ領域６−１、６−２を再度同時にタッチすることでタッチパネル３をオン状態とする。図３（ｅ）はタッチパネル３がオンの状態を示し、この状態では表示モジュール２とタッチパネル３のいずれもオン状態となる。さらに電力を抑えるために、２カ所のタッチスイッチ領域をＯＮにしておくのではなく、１カ所のみＯＮとしておき、そこに触れられると２カ所目のタッチスイッチ領域がすぐにＯＮとなるよう構成することもできる。
【００１９】
図４（ａ）〜（ｅ）はそれぞれセキュリティ機能のうちコンビネーションキースイッチの各状態を示す図であり、タッチスイッチ領域６はタッチパネル３の表示エリアの４隅の４カ所に設けられているものとする。図４（ａ）は最初の状態を示し、システムはオフ状態である。この状態でも４カ所のタッチスイッチ領域６−１〜６−４はオン状態である。また、さらに電力を抑えるのであれば、１つに触るとほぼ同時にたの３カ所がＯＮになるよう構成しても良い。図４（ｂ）はシステムを使いたい時の操作を示し、その場合は、まず左下隅と右下隅の２カ所のタッチスイッチ領域６−１、６−２を同時にタッチし、次に右上隅のタッチスイッチ領域６−３をタッチし、次に左上隅のタッチスイッチ領域６−４をタッチする一連のコンビネーションキースイッチ操作で、表示モジュール２およびタッチパネル３をオン状態とする。図４（ｃ）はシステムがオンの状態を示し、この状態では表示モジュール２とタッチパネル３はいずれもオン状態である。図４（ｄ）はシステムをオフ状態とする時の操作を示し、その場合は左下隅と右下隅の２カ所のタッチスイッチ領域６−１、６−２を同時にタッチすることで、システムすなわち表示モジュール２およびタッチパネル３をオフ状態とする。図４（ｅ）はシステムがオフの状態を示し、この状態ではシステムすなわち表示モジュール２およびタッチパネル３はオフ状態である。もちろん、この状態でも４カ所のタッチスイッチ領域６−１〜６−４はオン状態である。さらに消費電力を抑えるために、１カ所のみＯＮにしておき、触るとほぼ同時に他の３カ所がＯＮとなるよう構成しても良い。
【００２０】
次に、目に見えないタッチスイッチ領域６（６−１〜６−４）の形成方法について、図５および図６を参照して説明する。本発明で用いる駆動電源の独立したタッチスイッチ領域６の形成方法としては、（１）表示モジュール２の表面に、または、表示モジュール２の表面上にタッチパネル３を設けた場合はタッチパネル３の表面に、別のタッチパネルを重ねて設けること、あるいは、（２）表示モジュール２の表面上にタッチパネルを設けた場合において、そのタッチパネル３の一部を独立させて形成すること、が好適に用いられる。
【００２１】
図５（ａ）〜（ｃ）は、上記（１）の場合に、表示モジュール２またはタッチパネル３の表面上に設けるタッチスイッチ領域６の一例の構成を示す上面図、側面図および底面図である。図５（ａ）〜（ｃ）に示す例において、図５（ａ）に示す上層３１には、突出した２つの透明電極ＳＷ１−ＴとＳＷ２−Ｔ、および、これらの透明電極ＳＷ−１とＳＷ−２とを接続する透明配線ｗ１を設けている。また、図５（ｃ）に示す下層３２には、透明電極ＳＷ１−ＴとＳＷ２−Ｔに対応する位置に設けられた、突出した２つの透明電極ＳＷ１−ＢとＳＷ２−Ｂとが、一定間隔で対向するよう配置することで、タッチスイッチ領域６を形成する。この状態で、上層３１を指先等でタッチして押すことで、透明電極ＳＷ１−ＴとＳＷ１−Ｂとが接触すると同時に透明電極ＳＷ２−ＴとＳＷ２−Ｂとが接触し、スイッチ回路３３の状態をオンからオフへあるいはオフからオンへ変える。
【００２２】
次に、セキュリティ機能のうち、指紋認証スイッチ機能と署名認証スイッチ機能について説明する。指紋認証スイッチ機能を実現するためには、タッチスイッチ領域６に画像読み取り機能をもたせる必要がある。そして、まず所定の方法で所定のタッチスイッチ領域６を指先でタッチすることで、指紋認証ユニットをオンとする。それと同時に、タッチしたタッチスイッチ領域６の指紋を読み取り、指紋認証ユニットにおいて、読み取った指紋が予め登録されている正当使用者の指紋と一致するかどうかの認証を行う。認証の結果指紋が一致した場合は、その時点でシステムスイッチをオン状態とする。一方、認証の結果指紋が一致しない場合は、指紋認証スイッチをオフとし、次のスイッチの切り換えにそなえる。署名認証スイッチ機能を実現させるためには、タッチスイッチ領域６またはタッチパネル３に画像読み取り機能をもたせる必要がある。そして、まず所定の方法で所定のタッチスイッチ領域６を指先等でタッチすることで、署名認証ユニットと表示モジュール２およびタッチパネル３とをオンとする。それと同時に、表示モジュール２に署名入力部を表示させる。そして、署名入力部に入力された署名を読み取り、署名認証ユニットにおいて、読み取った署名が予め登録されている正当使用者の署名と一致するかどうかの認証を行う。認証の結果署名が一致した場合は、その時点でシステムスイッチをオン状態とする。一方、認証の結果署名が一致しない場合は、署名認証スイッチをオフとし、次のスイッチの切り換えにそなえる。
【００２３】
次に、タッチスイッチ領域６におけるスイッチングの一具体例を、図６を参照して説明する。図６に示す例では、２カ所のタッチスイッチ領域６をタッチしてＳＷ１およびＳＷ２をオンとすると、パルスが発生してトグルロジック４１がオンからオフまたはオフからオンへ変化する。これにより、各種認証ユニット４２がオンとなり認証が正しく終了した場合はスイッチをオンからオフまたはオフからオンへと変化させる指示をし、認証が正しく終了しなかった場合はリセットする。なお、上述した方式は一例にすぎず、さまざまなタイプのスイッチを用いることによって、さまざまは方式が考えられる。
【００２４】
【発明の効果】
以上の説明から明らかなように、本発明によれば、駆動電源の独立した少なくとも１カ所のタッチスイッチ領域のみ常に駆動状態に保ち、その他のすべての機能の電源をオフとした状態に保つことができる。そして、所定の機能を制御したい場合にのみ、タッチスイッチ領域にタッチすることで、所定の機能の電源をオンとして制御する。そのため、十分なパワーセービングを達成することができる。また、この所定の機能を制御するための入力の際に、１つのタッチスイッチ領域にタッチする操作または複数のタッチスイッチ領域に同時にタッチする操作を、１回または所定の順に複数回実施することで行うか、タッチスイッチ領域に画像読み取り機能をもたせ、所定の入力操作を行う際、タッチスイッチ領域にタッチすると同時に指紋の認証を行うか、あるいは、タッチスイッチ領域にタッチすると同時にタッチパネルにウィンドウを表示し、表示したウィンドウに署名を行うことで、署名による認証を行うことにより、その入力順を知らない第３者や、指紋や署名の異なる第３者が、その機能を利用出来なくすることができ、セキュリティを守ることができる。
【図面の簡単な説明】
【図１】本発明の表示装置の一例におけるシステムの概略を示す図である。
【図２】（ａ）、（ｂ）はそれぞれ本発明の表示装置におけるタッチスイッチ領域の一例の構成を示す図である。
【図３】（ａ）〜（ｅ）はそれぞれ本発明におけるパネルパワーセービング機能の各状態を示す図である。
【図４】（ａ）〜（ｅ）はそれぞれ本発明のセキュリティ機能のうちコンビネーションキースイッチの各状態を示す図である。
【図５】（ａ）〜（ｃ）は表示モジュールまたはタッチパネルの表面上に設けるタッチスイッチ領域の一例の構成を示す上面図、側面図および底面図である。
【図６】タッチスイッチ領域におけるスイッチングをパワードスイッチを用いて実現する例を示す図である。
【符号の説明】
１  表示装置、２  表示モジュール、３  タッチパネル、４  ファンクションユニット、５  システムユニット、６、６−１〜６−４  タッチスイッチ領域、１１  パワーユニット、２１  キー入力部、４１  トグルロジック、４２  認証ユニット、４３  トグルユニット
【図１】
0004939682.tif 000002
【図２】
0004939682.tif 000003
【図３】
0004939682.tif 000004
【図４】
0004939682.tif 000005
【図５】
0004939682.tif 000006
【図６】
0004939682.tif 000007